(57)【要約】【課題】  アナログレコードプレーヤでスクラッチ再生を行う場合と同様の操作により、光ディスクに記録されたオーディオデータのスクラッチ再生を行うことができる光ディスク再生装置を提供する。【解決手段】  操作円盤部の回転速度及び回転方向を検出して回転検出信号を発生する回転検出部と、記憶部から降順の読み出し順序でオーディオデータが読み出され、記憶部からオーディオデータの先頭部が読み出されると、回転検出信号のカウント数を初期値からインクリメントを開始し、記憶部から読み出されるオーディオデータの読み出し順序が降順から昇順の読み出し順序になると、インクリメントしたカウント数から回転検出信号の数をデクリメントするカウンタ部とカウンタ部が回転検出信号のカウント数をインクリメント又はデクリメントしている間、出力部から無音のオーディオデータを出力する制御をする制御部を備える。【選択図】  図３
2005259275.tif 000002
【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部と、前記記憶部から読み出されたオーディオデータを出力する出力部とを備えた光ディスク再生装置において、
前記操作円盤部を載置する円盤部と、前記円盤部を回転駆動する駆動部と、前記操作円盤部の回転速度及び回転方向を検出して回転検出信号を発生する回転検出部と、前記記憶部からオーディオデータの先頭が読み出されたことを検出する先頭検出部と、前記制御部の制御により前記記憶部から降順の読み出し順序でオーディオデータが読み出され、前記先頭検出部がオーディオデータの先頭を検出すると、前記回転検出信号のパルス数を初期値から増加する方向にカウントし、前記制御部の制御により前記記憶部から読み出されるオーディオデータの読み出し順序が降順から昇順になると、その時点までにカウントしたパルス数から前記回転検出信号のパルス数を減少する方向にカウントするカウンタ部とを備え、
前記制御部は、前記カウンタ部が前記回転検出信号のパルス数を増加する方向又は減少する方向にカウントしている間、前記記憶部からオーディオデータの読み出しを停止する制御をすることを特徴とする光ディスク再生装置。
【請求項２】
請求項１記載の光ディスク再生装置において、
前記制御部は、前記カウンタ部が前記回転検出信号のパルス数を減少する方向にカウントしたパルス数が初期値になると、前記記憶部からオーディオデータの先頭部から読み出す制御をすることを特徴とする光ディスク再生装置。
【発明の詳細な説明】
【技術分野】
【０００１】
本発明は、光ディスクから読み出したオーディオデータをメモリに記憶し、メモリに記憶したオーディオデータの読み出し速度及び読み出し順序を変えて再生することができる光ディスク再生装置に関する。
【背景技術】
【０００２】
オーディオ再生装置を操作してオーディオデータを再生するDJ（Disc Jockey）は、オーディオデータを再生している間に、擦れ音のような効果音を発生させるスクラッチ再生と呼ばれる特殊再生を行うことがある。DJは、アナログレコードプレーヤを用いてスクラッチ再生を行う場合、アナログレコードを素早く時計回り方向又は反時計回り方向に回すことにより擦れ音を発生させる。また、このアナログレコードプレーヤを用いて行われるスクラッチ再生と同様の特殊再生を行うことが可能な光ディスク再生装置がある。
【０００３】
この光ディスク再生装置は、ジョグダイヤルとメモリを備え、CD（Compact Disc）等の光ディスクから再生したオーディオデータをメモリに記憶し、ジョグダイヤルが時計回り方向に回転することにより、ジョグダイヤルの回転速度に応じた読み出し速度及び昇順アドレスの読み出し順序でメモリに記憶されたオーディオデータを読み出し、読み出したオーディオデータを再生する。また、ジョグダイヤルが反時計回り方向に回転することにより、ジョグダイヤルの回転速度に応じた読み出し速度及び降順アドレスの読み出し順序でメモリに記憶されたオーディオデータを読み出し、読み出したオーディオデータを再生する。光ディスク再生装置は、ジョグダイヤルが回転操作されていないとき、標準速度及び昇順アドレス（以下、通常再生という。）でメモリからオーディオデータを読み出し、読み出したオーディオデータを再生する。
【０００４】
このため、光ディスク再生装置は、時計回り方向又は反時計回り方向にジョグダイヤルが回転することによりアナログレコードによる擦れ音と同等の効果音を発生させる。このように、DJは、CDに記録されたオーディオデータを光ディスク再生装置により再生しているとき、ジョグダイヤルをアナログレコードと同じように回転操作して、アナログレコードと同様のスクラッチ再生等の特殊再生を行うことができる（例えば、特許文献１参照。）。
【０００５】
【特許文献１】特開平２００１−３１２８５７号公報
【発明の開示】
【発明が解決しようとする課題】
【０００６】
アナログレコードには、第１トラック（第１曲）の記録開始位置の前の位置（アナログレコードの最外周部）にレコード針を導くための溝（以下、トレース溝という。）が設けられている。レコードプレーヤは、アナログレコードが１乃至３回転し、レコード針がトレース溝から第１トラックの記録開始位置に到達すると、第１トラックのオーディオ信号を再生開始する。アナログレコードに設けられたトレース溝には、オーディオ信号が記録されていないので、レコードプレーヤは、レコード針がトレース溝内を移動している間、オーディオ信号を出力しない。
【０００７】
DJは、アナログレコードプレーヤを用いてアナログレコードに記録された第１トラックの先頭部から数秒間のオーディオ信号をスクラッチ再生することがある。例えば、DJは、第１トラックの再生を開始してから時計回り方向にアナログレコードが1/4回転した後、反時計回り方向にアナログレコードを1/2回転させ、更に、時計回り方向にアナログレコードを1/2回転させる回転操作を繰り返すスクラッチ再生を行うことがある。つまり、このスクラッチ再生の回転操作は、アナログレコードにおいて、第１トラックの記録開始位置を中心として、時計回り方向に1/4回転させた位置から反時計回りに1/4回転させた位置までの回転操作である。図５は、第１トラックのスクラッチ再生の再生音を説明する図である。図５（a）は、アナログレコードプレーヤによるスクラッチ再生の再生音を説明する図である。また、図５（b）は、従来の光ディスク再生装置によるスクラッチ再生の再生音を説明する図である。
【０００８】
図５（a）に示すOAの区間は、アナログレコードに記録された第１トラックのオーディオ信号の再生を開始してから、アナログレコードが時計回り方向に1/4回転したときに再生される再生音を示す。OAの区間において、アナログレコードプレーヤにより第１トラックの先頭部からオーディオ信号が再生される。ABの区間は、DJが反時計回り方向にアナログレコードを1/4回転させるときに再生される再生音を示す。ABの区間において、アナログレコードが反時計回りに1/4回転されると、アナログレコードプレーヤによりOAの区間で再生されたオーディオ信号と逆順序で第１トラックのオーディオ信号が再生され、第１トラックの先頭部のオーディオ信号まで再生される。
【０００９】
BCの区間は、更にDJが反時計回り方向にアナログレコードを1/4回転させるときに再生される再生音を示す。BCの区間において、アナログレコードが反時計回り方向に1/4回転されると、レコード針がトレース溝内を移動するので、アナログレコードプレーヤからオーディオ信号が出力されない（無音の再生音）。CDの区間は、DJが反時計回り方向から時計回り方向にアナログレコードを1/4回転させるときに再生される再生音を示す。CDの区間において、アナログレコードが時計回りに1/4回転されると、レコード針がBCの区間で移動したトレース溝内を移動するので、アナログレコードプレーヤによりオーディオ信号が出力されない。DEの区間は、更にDJが時計回り方向にアナログレコードを1/4回転したときに再生される再生音を示す。DEの区間において、アナログレコードが時計回りに1/4回転されると、レコード針がトレース溝から第１トラックの記録開始位置に移動し、アナログレコードプレーヤにより第１トラックの先頭部からオーディオ信号が再生される。
【００１０】
したがって、図５（a）に示すように、このようなスクラッチ再生を行うと、アナログレコードプレーヤは、ＢＣの区間における無音の再生音をCDの区間において逆順序で再生した後、DEの区間において第１トラックのオーディオ信号を再生する。
【００１１】
また、DJは、ジョグダイヤルを回転操作して、スクラッチ再生等の特殊再生を行うことができる従来の光ディスク再生装置を用いて、光ディスクに記録された第１トラックの先頭部から数秒間のオーディオデータをスクラッチ再生する場合がある。図５（b）を用いて、従来の光ディスク再生装置によるスクラッチ再生の再生音を説明する。
【００１２】
図５（b）に示すoaの区間は、光ディスクに記録された第１トラックのオーディオデータの再生を開始してから再生される再生音を示す。oaの区間において、従来の光ディスク再生装置により光ディスクから読み取った第１トッラクのオーディオデータがメモリに記憶され、メモリから読み出されたオーディオデータが再生される。abの区間は、DJがジョグダイヤルを反時計回り方向に回転させるときに再生される再生音を示す。abの区間において、従来の光ディスク再生装置は、ジョグダイヤルが反時計回りに回転されると、oa区間で再生されたオーディオデータをメモリから降順アドレスで読み出し、読み出したオーディオデータを再生する。
【００１３】
bcの区間は、更にDJが反時計回り方向にジョグダイヤルを回転させるときに再生される再生音を示す。降順アドレスでメモリから第１トラックの先頭のオーディオデータが読み出された後も、更にジョグダイヤルが反時計回り方向に回転されると、従来の光ディスク再生装置は、メモリに第１トラックの先頭部に続けて降順アドレスで読み出すオーディオデータが記憶されていないので、bcの区間の再生音は無音になる。
【００１４】
cdの区間は、DJが反時計回り方向から時計回り方向にジョグダイヤルを回転させるときに再生される再生音を示す。cdの区間において、DJがジョグダイヤルを反時計回り方向から時計回り方向に回転させると、従来の光ディスク再生装置は、メモリから昇順アドレスで第１トラックの先頭部からオーディオデータの読み出しを開始し、読み出したオーディオデータを再生する。
【００１５】
従来の光ディスク再生装置では、降順アドレスでメモリから第１トラックの先頭部のオーディオデータが読み出され（abの区間）、更に、無音（bcの区間）となっているとき、ジョグダイヤルが反時計回り方向から時計回り方向に回転されると、第１トラックの先頭部のオーディオデータから再生を開始する。したがって、従来の光ディスク再生装置は、cdの区間において、ジョグダイヤルが時計回り方向に回転されると無音の再生音とならずに、第１トラックの先頭部のオーディオデータから再生を開始するので、アナログレコードプレーヤを用いたスクラッチ再生の効果音と同等の効果音を発生させることができないという課題がある。
【００１６】
本発明は、上記の課題を解決するためになされたものであり、アナログレコードプレーヤでスクラッチ再生を行う場合と同様の操作により、光ディスクに記録されたオーディオデータのスクラッチ再生を行うことができる光ディスク再生装置を提供することを目的とする。
【課題を解決するための手段】
【００１７】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部と、前記記憶部から読み出されたオーディオデータを出力する出力部とを備えた光ディスク再生装置において、前記操作円盤部を載置する円盤部と、前記円盤部を回転駆動する駆動部と、前記操作円盤部の回転速度及び回転方向を検出して回転検出信号を発生する回転検出部と、前記記憶部からオーディオデータの先頭が読み出されたことを検出する先頭検出部と、前記制御部の制御により前記記憶部から降順の読み出し順序でオーディオデータが読み出され、前記先頭検出部がオーディオデータの先頭を検出すると、前記回転検出信号のパルス数を初期値から増加する方向にカウントし、前記制御部の制御により前記記憶部から読み出されるオーディオデータの読み出し順序が降順から昇順になると、その時点までにカウントしたパルス数から前記回転検出信号のパルス数を減少する方向にカウントするカウンタ部とを備え、前記制御部は、前記カウンタ部が前記回転検出信号のパルス数を増加する方向又は減少する方向にカウントしている間、前記記憶部からオーディオデータの読み出しを停止する制御をすることを特徴とする。
【００１８】
また、本願の請求項２記載の発明は、請求項１記載の光ディスク再生装置において、前記制御部は、前記カウンタ部が前記回転検出信号のパルス数を減少する方向にカウントしたパルス数が初期値になると、前記記憶部からオーディオデータの先頭部から読み出す制御をすることを特徴とする。
【発明の効果】
【００１９】
本発明によれば、アナログレコードプレーヤでスクラッチ再生を行う場合と同様の操作により、光ディスクに記録されたオーディオデータのスクラッチ再生を行うことができる光ディスク再生装置を提供することができる。
【発明を実施するための最良の形態】
【００２０】
以下、本発明の実施の形態を図面に基づいて説明する。
本発明の一実施例は、操作部にジョグダイヤルを備え、ジョグダイヤルの回転速度及び回転方向に応じて、CDから再生しRAMに記憶されたデジタルオーディオデータの読み出し速度及び読み出し順序を変えることができるCDプレーヤである。図１は、本発明の一実施例であるCDプレーヤの構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はフレーム検出部、１０は、DAC（Digital to Analog Converter）、１１は出力端子、１２は制御部、１３は表示部、１４は操作部、１５はカウンタ部、１６は先頭検出部を示す。
【００２１】
スピンドルモータ２に固定されたターンテーブル１は、CDを固定する。操作部１４から再生開始の指示があると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００２２】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出され、メモリ制御部７に備えられたフレーム検出部９に入力される。
【００２３】
フレーム検出部９は、RAM８から入力されるデジタルオーディオデータをフレーム単位で検出し、１フレームを検出する毎にフレーム検出信号を発生し、当該フレーム検出信号を制御部１２に入力する。フレーム検出部９は、メモリ制御部７の制御によりRAM８から昇順アドレスでデジタルオーディオデータが読み出されているとき、第１のフレーム検出信号を発生し、RAM８から降順アドレスでデジタルオーディオデータが読み出されているとき、第２のフレーム検出信号を発生する。CDに記録されたオーディオデータのサンプリング周波数が44.1kHzである場合、１秒間分のデジタルオーディオデータは４４１００サンプルとなり、１フレーム（1/75秒）では、５８８サンプルとなる。フレーム検出部９は、５８８サンプルのデジタルオーディオデータを検出する毎に、第１のフレーム検出信号又は第２のフレーム検出信号を発生する。DAC１０は、フレーム検出部９から入力されたデジタルオーディオデータをアナログオーディオ信号に変換する。DAC９により変換されたアナログオーディオ信号は、出力端子１１から出力される。
【００２４】
表示部１３は、現在再生しているトラックの再生時間、トラックナンバー等を表示する。操作部１４は、ジョグダイヤル、再生ボタン、再生停止ボタン、トラックサーチボタン、早送りボタン、早戻しボタン、イジェクトボタンを備えている。
【００２５】
図２は、本発明の一実施例であるCDプレーヤの操作部１４が備えるジョグダイヤルの側断面を示す図である。図２において、２１はパネル、２２はモータ、２３は回転軸、２４はプーリ、２５はプーリ部、２６はベルト、２７は円盤部、２８はプーリ部、２９はシート部、３０は操作円盤部、３１は保持部、３２は回転軸、３３は第２光センサ部、３４はスケール保持部、３５はスケール部、３６は第１光センサ部、３７はスケール保持部、３８はスケール部、３９はワッシャー、４０はネジ、４１は軸受け、４２はEリング、４３は凸部、４４は凹部、４５は軸受け、４６は軸受けを示す。本実施例のCDプレーヤでは、操作円盤部３０は、直径１０cm〜３０cmのアナログレコードと同等の大きさの円盤であり、ジョグダイヤル部は、CDプレーヤの筐体に取り付けられている。
【００２６】
本実施例のCDプレーヤは、パネル２１にモータ２２がネジ４０で取り付けられている。パネル２１は、軸受け４１をインサート成形、すなわち一体成形（以下同じ）により形成している。モータ２２の回転軸２３には、プーリ２４が取り付けられている。モータ２２の回転軸２３に取り付けられたプーリ２４のプーリ部２５と円盤部２７のプーリ部２８にベルト２６が掛けられている。
【００２７】
円盤部２７の回転状態を検出するためのスケール部３８は、円盤部２７の裏面に取り付けられたスケール保持部３７にネジ４０で固定されている。第１光センサ部３６は、ネジ４０でパネル２１に固定されている。また、スケール保持部３７は、軸受け４５と一体成形により形成されている。スケール保持部３７は、パネル２１の軸受け４１に挿入され、Ｅリング４２により保持されている。円盤部２７の裏面には、上述したプーリ部２８が環状に設けられている。
【００２８】
操作円盤部３０の保持シャフトである回転軸３２には、軸受け４６が一体成形により形成されている。回転軸３２は、パネル２１の軸受け４１にワッシャー３９を介して挿入され保持されている。
【００２９】
操作円盤部３０の回転状態を検出するためのスケール部３５は、スケール保持部３４にネジ４０で固定されている。スケール保持部３４は、ワッシャー３９を介して回転軸３２に挿入されている。第２光センサ部３３は、ネジ４０でパネル２１に固定されている。シート部２９は、円盤部２７の上面に載置されている。このシート部２９は、摩擦係数が小さく、静電気が発生しにくいプラスチックまたはプラスチック繊維からなる。操作円盤部３０は、シート部２９の上面に載置されている。保持部３１は、操作円盤部３０の上面に載置されており、保持部３１に設けられた凹部４４に操作円盤部３０に設けられた凸部４３を挿入することにより、シート部２９及び操作円盤部３０を保持する。したがって、DJの回転操作による操作円盤部３０の回転状態は、回転軸３２を介して、スケール保持部３４に取り付けられたスケール部３５に伝達され、操作円盤部３０とスケール部３５は一体的に回転する。また、操作円盤部３０の回転状態を目視により確認するために、操作円盤部３０又は保持部３１には、回転位置を示す目印が設けられている。
【００３０】
第２光センサ部３３は、操作円盤部３０と一体的に回転するスケール部３５の
回転状態（回転角度及び回転方向）を検出するために、光センサa及び光センサbから構成され、スケール部３５のスリット部を検出できるようにパネル２１の裏面に固定されている。また、第１光センサ部３6は、円盤部２７と一体的に回転するスケール部３８の回転状態（回転角度及び回転方向）を検出するために、第２光センサ部３３と同様に２つの光センサから構成され、スケール部３８のスリット部を検出できるようにパネル２１の上面に固定されている。
【００３１】
スケール部３５の外周部には、等間隔に長方形状のスリット部が設けられている。スケール部３５の材質が金属の場合、スリット部は、長方形状の開口部にする。しかし、開口部の形状は、長方形に限られるものではなく、適宜の形状でよい。また、スケール部３５として材質が透明又は半透明のプラスチックなどが用いられている場合は、スリット部を印刷によって形成する。この場合、スリット部の印刷塗料にカーボンを含ませると、第２光センサ部３３によるスリット部を検出する精度が向上する。また、スケール部３８は、スケール部３５と同様にその外周部に等間隔に長方形状のスリット部が設けられている。
【００３２】
第１光センサ部３６は、スケール部３８のスリット部を検出し、円盤部２７の回転状態に応じた第１パルス信号を発生し、制御部１２に入力する。第２光センサ部３３は、スケール部３５のスリット部を検出し、操作円盤部３０の回転状態に応じた第２パルス信号を発生し制御部１２に入力する。第２光センサ部３３が発生した第２パルス信号は、カウンタ部１５に入力する。カウンタ部１５は、制御部１２の制御により第２光センサ部３３の光センサa又は光センサbから入力される第２パルス信号のパルス数を１ずつ増加する方向（インクリメント）又は１ずつ減少する方向（デクリメント）にカウントする。
【００３３】
制御部１２は、第１光センサ部３６から入力される第１パルス信号と第２光センサ部３３から入力される第２パルス信号から、円盤部２７と操作円盤部３０が同一の回転状態であるか否かを判別する。制御部１２は、円盤部２７と操作円盤部３０が同一の回転状態のとき、標準速度での再生と判断しメモリ制御部７を制御して、RAM８に記憶されたデジタルオーディオデータを標準速度に対応したクロックで読み出す制御をする。制御部１２は、円盤部２７と操作円盤部３０が同一の回転状態でないことを判別すると、第２光センサ部３３から入力される第２パルス信号に応じた読み出す速度及び方向で、RAM８に記憶されたデジタルオーディオデータを読み出すようメモリ制御部７を制御する。
【００３４】
制御部１２は、上述したフレーム検出部９から入力された第１のフレーム検出信号又は第２のフレーム検出信号をカウントすることにより、読出時間を算出する。この読出時間は、RAM８から読み出されるデジタルオーディオデータのトラックの先頭からの再生経過時間に相当する。制御部１２は、フレーム検出部９から入力される第１のフレーム検出信号を１回カウントする毎にカウント数を１増やし、第２のフレーム検出信号を１回カウントする毎にカウント数を１減らす。例えば、トラックの再生を開始してから、制御部１２がカウントした第１のフレーム検出信号のカウント数が１２００であるとき、１秒間は７５フレームであるため、読出時間は、１６秒００フレーム（１２００／７５）となる。この後、制御部１２がさらに第１のフレーム検出信号を連続して１５５回カウントすると、制御部１２のカウント数は１３５５（＝１２００＋１５５）となり、読出時間は、１８秒０５フレーム（１６秒００フレーム＋２秒０５フレーム）となる。また、カウント数が１２００であるとき、制御部１２が第２のフレーム検出信号を連続して２００回カウントすると、制御部１２のカウント数は１０００（＝１２００−２００）となり、読出時間は、１３秒２５フレーム（１６秒００フレーム−２秒５０フレーム）となる。
【００３５】
制御部１２は、RAM８からデジタルオーディオデータの先頭部が読み出されたことを検出する先頭検出部１６を備えている。先頭検出部１６は、制御部１２が算出した読出時間が０分００秒００フレームになるとき、RAM８からデジタルオーディオデータの先頭部が読み出されたことを検出する。
【００３６】
本実施例のCDプレーヤは、CDに記録されたオーディオデータを再生する場合、円盤部２７の回転数が１分間にアナログレコードプレーヤの再生時におけるターンテーブルの回転数と同じ（33＋1/3）回転となるようにモータ２２の回転数を定める。モータ２２の駆動力は、プーリ部２５とプーリ部２８にかけられているベルト２６に伝達されて円盤部２７が回転することにより、シート部２９、操作円盤部３０、スケール部３５及びスケール部３８は、円盤部２７と同じ速度で回転する。ここで、操作円盤部３０は、円盤部２７の回転に追従できるように表面積を大きくし、材質、厚みを調整することにより、載置されているシート部２９が小さい摩擦係数であっても、円盤部２７と同じ回転速度で回転するように、自重と慣性モーメントが設計されている。モータ２２の回転方向は、アナログレコードプレーヤのターンテーブルの回転方向（時計回り方向）と同じ方向である。このため、本実施例のCDプレーヤでは、アナログレコードを用いてスクラッチ再生等の特殊再生を行う操作と同様の操作をすることができる。
【００３７】
本実施例のCDプレーヤを用いて、スクラッチ再生を行う場合、DJは、手で操作円盤部３０を素早く時計回り方向又は反時計回り方向に回転させる操作を繰り返す。制御部１２は、第２光センサ部３３の光センサa及び光センサbから入力される第２パルス信号から、操作円盤部３０の回転速度及び回転方向を判別する。制御部１２は、判別した回転速度及び回転方向に応じて、メモリ制御部７を制御する。メモリ制御部７は、RAM８に記憶されたデジタルオーディオデータの読み出し速度及び読み出し順序（デジタルオーディオデータを昇順アドレスで読み出す、または、降順アドレスで読み出す）を制御する。RAM８から読み出されたデジタルオーディオデータは、フレーム検出部９を介してDAC１０によりアナログオーディオ信号に変換され出力端子１１から出力される。
【００３８】
図３は、本発明の一実施例のCDプレーヤの第１トラックの先頭部から数秒間のオーディオデータをスクラッチ再生する動作を説明するフローチャートである。本実施例のCDプレーヤでは、操作円盤部３０が１回転するとき、第２光センサ部３３が１３５パルスの第２パルス信号を発生し、第２パルス信号の１パルスでRAM８に記憶された１フレーム分のデジタルオーディオデータを読み出すものとして説明する。
【００３９】
図３のステップ１は、円盤部２７及び操作円盤部３０が同一の速度で回転し、標準速度で第１トラックのオーディオデータを再生しているとき、DJが操作円盤部３０を回転操作し、スクラッチ再生の操作がされたか否かを制御部１２が判別するステップである。スクラッチ再生の操作がされた場合はステップ２へ進む。
【００４０】
ステップ２は、操作円盤部３０が反時計回り方向に回転されたか否かを制御部１２が判別するステップである。制御部１２は、第２光センサ部３３の光センサa及び光センサbから入力される第２パルス信号から、DJが回転操作した操作円盤部３０の回転速度及び回転方向を判別する。操作円盤部３０が反時計回り方向に回転された場合はステップ３へ進む。操作円盤部３０が時計回り方向に回転された場合はステップ１６へ進む。
【００４１】
ステップ３は、制御部１２が判別した読み出し速度及び降順アドレスでRAM８に記憶された第１トラックのデジタルオーディオデータを読み出す制御をするステップである。制御部１２が判別した読み出し速度及び降順アドレスでRAM８から読み出された第１トラックのデジタルオーディオデータは、フレーム検出部９を介してDAC１０によりアナログオーディオ信号に変換され出力端子１１から出力される。
【００４２】
ステップ４は、RAM８から第１トラックの先頭部のデジタルオーディオデータが読み出されたことを先頭検出部１６が検出するステップである。RAM８から降順アドレスでデジタルオーディオデータを読み出しているので、フレーム検出部９は、第２のフレーム検出信号を発生し制御部１２に入力する。制御部１２は、入力された第２のフレーム検出信号をカウントすることにより、読出時間を算出する。この読出時間は、RAM８から読み出されるデジタルオーディオデータのトラックの先頭からの再生経過時間に相当するので、RAM８から第１トラックの先頭部のデジタルオーディオデータが読み出されたとき、制御部１２が算出した読出時間は、０分００秒００フレームとなる。したがって、先頭検出部１６は、算出した読出時間が０分００秒００フレームになると、RAM８から第１トラックの先頭部のデジタルオーディオデータが読み出されたことを検出する。RAM８から第１トラックの先頭部のデジタルオーディオデータが読み出された場合はステップ５へ進む。RAM８から第１トラックの先頭部のデジタルオーディオデータが読み出されていない場合はステップ７へ進む。
【００４３】
ステップ５は、制御部１２がRAM８からデジタルオーディオデータの読み出しを停止する制御をする判別するステップである。制御部１２は、RAM８から第１トラックの先頭部のデジタルオーディオデータが読み出されたことを判別すると、RAM８からデジタルオーディオデータの読み出しを停止する制御をする。ここで、本実施例のCDプレーヤにおいて、出力端子１１から出力されるアナログオーディオ信号は、第１トラックのアナログオーディオ信号から無音となる。
【００４４】
ステップ６は、RAM８から第１トラックの先頭部のデジタルオーディオデータが読み出された後、制御部１２がカウンタ部１５に第２パルス信号のパルス数を初期値からインクリメントさせる制御をするステップである。カウンタ部１５は、制御部１２の制御により第２光センサ部３３から第２パルス信号のパルスが入力される毎にカウント数を初期値（例えば、ゼロ）からインクリメントする。
【００４５】
ステップ７は、操作円盤部３０が反時計回り方向から時計回り方向に回転されたか否かを制御部１２が判別するステップである。制御部１２は、第２光センサ部３３の光センサa及び光センサbから入力される第２パルス信号から、DJが回転操作した操作円盤部３０の回転速度及び回転方向を判別する。操作円盤部３０が反時計回り方向から時計回り方向に回転された場合はステップ８へ進む。操作円盤部３０が反時計回り方向に回転されている場合はステップ９へ進む。
【００４６】
ステップ８は、図４に示すステップ１９へ進むステップである。
【００４７】
ステップ９は、スクラッチ再生が終了したか否かを制御部１２が判別するステップである。制御部１２は、第１光センサ部３６から入力される第１パルス信号と第２光センサ部３３から入力される第２パルス信号から、円盤部２７と操作円盤部３０が同一の回転状態であることを判別することにより、スクラッチ再生が終了したことを判別する。スクラッチ再生が終了した場合はステップ１０へ進む。スクラッチ再生が終了していない場合はステップ４へ進む。
【００４８】
ステップ１０は、カウンタ部１５のカウント数が初期値であるか否かを制御部１２が判別するステップである。RAM８から降順アドレスで第１トラックの先頭部のデジタルオーディオデータが読み出される前に、DJがスクラッチ再生の操作を終了すると、カウンタ部１５は、第２パルス信号のパルスをカウントしない。カウント数が初期値である場合はステップ１１へ進む。カウント数が初期値でない場合はステップ１２へ進む。
【００４９】
ステップ１１は、制御部１２が通常再生の制御をするステップである。制御部１２は、円盤部２７及び操作円盤部３０の回転状態が同一であることを判別すると、通常再生（標準速度及び昇順アドレスでRAM８からデジタルオーディオデータの読み出し）の制御をする。本実施例のCDプレーヤでは、降順アドレスでRAM８から第１トラックのデジタルオーディオデータが読み出されているときに、DJがスクラッチ再生の操作を終了すると、スクラッチ再生が終了した位置から通常再生を開始する。
【００５０】
ステップ１２は、制御部１２がカウンタ部１５に第２パルス信号のパルス数をデクリメントさせる制御をするステップである。DJがスクラッチ再生の操作を終了すると、モータ２２により操作円盤部３０が時計回り方向に回転する。制御部１２は、操作円盤部３０が反時計回り方向から時計回り方向に回転したことを判別すると、カウンタ部１５にインクリメントしたカウント数から、第２パルス信号のパルスが入力される毎にカウント数をデクリメントする制御をする。
【００５１】
ステップ１３は、カウンタ部１５のカウント数が初期値になったか否かを制御部１２が判別するステップである。カウント数が初期値になった場合はステップ１３へ進む。カウント数が初期値にならない場合はステップ１２へ進む。
【００５２】
ステップ１４は、制御部１２がRAM８から昇順アドレスで第１トラックの先頭部のデジタルオーディオデータを読み出す制御をするステップである。制御部１２は、カウンタ部１５のカウント数が初期値になると、RAM８から昇順アドレスで第１トラックのデジタルオーディオデータを先頭部から読み出す制御をする。ここで、本実施例のCDプレーヤにおいて、出力端子１１から出力されるアナログオーディオ信号は、無音から第１トラックのアナログオーディオ信号となる。
【００５３】
ステップ１５は、制御部１２が通常再生をする制御をするステップである。制御部１２は、第１トラックを通常再生する制御をする。本実施例のCDプレーヤでは、RAM８から降順アドレスで第１トラックの先頭部のデジタルオーディオデータが読み出された後、更にDJが操作円盤部３０を反時計回り方向に回転させスクラッチ再生の操作を終了すると、カウンタ部１５がインクリメントしたカウント数をデクリメントし初期値になるまで（つまり、操作円盤部３０が時計回り方向に回転する回転量が反時計回り方向に回転した回転量になるまで）、RAM８から第１トラックのデジタルオーディオデータの読み出しをしない。したがって、本実施例のCDプレーヤは、第２パルス信号のパルスが入力される毎にカウント数をカウンタ部１５がインクリメント又はデクリメントしている間、出力端子１１から出力されるアナログオーディオ信号は無音となる。
【００５４】
ステップ１６は、制御部１２が判別した読み出し速度及び昇順アドレスでRAM８に記憶された第１トラックのデジタルオーディオデータを読み出す制御をするステップである。制御部１２が判別した読み出し速度及び昇順アドレスでRAM８から読み出された第１トラックのデジタルオーディオデータは、フレーム検出部９を介してDAC１０によりアナログオーディオ信号に変換され出力端子１１から出力される。
【００５５】
ステップ１７は、スクラッチ再生が終了したか否かを制御部１２が判別するステップである。制御部１２は、第１光センサ部３６から入力される第１パルス信号と第２光センサ部３３から入力される第２パルス信号から、円盤部２７と操作円盤部３０が同一の回転状態であることを判別することにより、DJがスクラッチ再生の操作を終了したことを判別する。スクラッチ再生が終了した場合はステップ１８へ進む。スクラッチ再生が終了していない場合はステップ２へ進む。
【００５６】
ステップ１８は、制御部１２が通常再生の制御をするステップである。制御部１２は、円盤部２７及び操作円盤部３０の回転状態が同一であることを判別すると、通常再生の制御をする。
【００５７】
図４に示すステップ１９は、カウンタ部１５のカウント数が初期値であるか否かを制御部１２が判別するステップである。カウンタ部１５のカウント数が初期値である場合はステップ２０へ進む。カウント数が初期値でない場合はステップ２１へ進む。ここで、本実施例のCDプレーヤにおいて、カウンタ部１５のカウント数が初期値である場合は、RAM８から第１トラックの先頭部のデジタルオーディオデータが読み出される前に、DJが操作円盤部３０を反時計回り方向から時計回り方向に回転させる場合である。また、本実施例のCDプレーヤにおいて、カウンタ部１５のカウント数が初期値でない場合は、RAM８から第１トラックの先頭部のデジタルオーディオデータが読み出された後に、DJが操作円盤部３０を反時計回り方向から時計回り方向に回転させる場合である。
【００５８】
ステップ２０は、図３に示すステップ１６へ進むステップである。
【００５９】
ステップ２１は、制御部１２がカウンタ部１５に第２パルス信号のパルス数をデクリメントさせる制御をするステップである。カウンタ部１５は、DJが操作円盤部３０を時計回り方向に回転させると、制御部１２の制御によりインクリメントしたカウント数から、第２光センサ部３３から第２パルス信号のパルスが入力される毎にカウント数をデクリメントする。
【００６０】
ステップ２２は、操作円盤部３０が時計回り方向から反時計回り方向に回転されたか否かを制御部１２が判別するステップである。制御部１２は、第２光センサ部３３の光センサa及び光センサbから入力される第２パルス信号から、DJが回転操作した操作円盤部３０の回転速度及び回転方向を判別する。操作円盤部３０が時計回り方向から反時計回り方向に回転された場合はステップ２３へ進む。操作円盤部３０が時計回り方向に回転されている場合はステップ１６へ進む。
【００６１】
ステップ２３は、制御部１２がカウンタ部１５に第２パルス信号のパルス数をインクリメントさせる制御をするステップである。ステップ２２において、DJが操作円盤部３０を反時計回り方向に回転させるとき、RAM８から第１トラックの先頭部のデジタルオーディオデータが読み出されてないため、カウンタ部１５は、制御部１２の制御により第２光センサ部３３から第２パルス信号のパルスが入力される毎にカウント数をインクリメントする。
【００６２】
ステップ２４は、カウンタ部１５のカウント数が初期値になったか否かを制御部１２が判別するステップである。カウンタ部１５のカウント数が初期値になった場合はステップ２５へ進む。カウント数が初期値でならない場合はステップ２１へ進む。
【００６３】
ステップ２５は、制御部１２がRAM８から第１トラックの先頭部のデジタルオーディオデータを読み出す制御をするステップである。制御部１２は、カウンタ部１５のカウント数が初期値になると、RAM８から第１トラックのデジタルオーディオデータを先頭部から読み出す制御をする。ここで、本実施例のCDプレーヤにおいて、出力端子１１から出力されるアナログオーディオ信号は、無音から第１トラックのアナログオーディオ信号となる。
【００６４】
ステップ２６は、スクラッチ再生が終了したか否かを制御部１２が判別するステップである。制御部１２は、第１光センサ部３６から入力される第１パルス信号と第２光センサ部３３から入力される第２パルス信号から、円盤部２７と操作円盤部３０が同一の回転状態であることを判別することにより、DJがスクラッチ再生の操作を終了したことを判別する。スクラッチ再生が終了した場合はステップ２８へ進む。スクラッチ再生が終了していない場合はステップ２７へ進む。
【００６５】
ステップ２７は、図３に示すステップ２へ進むステップである。
【００６６】
ステップ２８は、制御部１２が通常再生の制御をするステップである。制御部１２は、円盤部２７及び操作円盤部３０の回転状態が同一であることを判別すると、通常再生の制御をする。本実施例のCDプレーヤでは、昇順アドレスでRAM８から第１トラックのデジタルオーディオデータが読み出されているときに、DJがスクラッチ再生の操作を終了すると、スクラッチ再生が終了した位置から通常再生を開始する。
【００６７】
上述した本実施例のCDプレーヤは、DJが操作円盤部３０を反時計回り方向に回転させて、降順アドレスでRAM８から第１トラックのデジタルオーディオデータが読み出された後、操作円盤部３０が反時計回り方向に回転した回転量を検出するために、カウンタ部１５が第２パルス信号のパルスが入力される毎にカウント数をインクリメントする。そして、操作円盤部３０が反時計回り方向から時計回り方向に回転すると、カウンタ部１５がインクリメントしたカウント数から第２パルス信号のパルスが入力させる毎にカウント数をデクリメントする。本実施例のCDプレーヤは、カウンタ部１５が第２パルス信号のパルスのカウント数をインクリメント又はデクリメントしている間、RAM８からデジタルオーディオデータの読み出しを停止し、デクリメントしたカウント数が初期値になると、RAM８から昇順アドレスで第１トラックのデジタルオーディオデータの読み出しを開始する。したがって、本実施例のCDプレーヤは、アナログレコードと同様に操作円盤部３０を回転操作することによりアナログレコードプレーヤを用いてアナログレコードに記録された第１トラックの先頭部から数秒間のオーディオ信号をスクラッチ再生の効果音と同等の効果音を発生させることができる。
【００６８】
上述した本実施例では、CDに記録された第１トラックのオーディオデータのスクラッチ再生について説明をしたが、第１トラックに限らずCDに記録された全てのトラックのオーディオデータのスクラッチ再生において、本発明を適用することができる。
【図面の簡単な説明】
【００６９】
【図１】本発明の実施例であるCDプレーヤの構成を示すブロック図。
【図２】本発明の実施例であるCDプレーヤが備えるジョグダイヤルの構成を示す図。
【図３】本発明の実施例であるCDプレーヤの第１トラックのスクラッチ再生の動作を説明するフローチャート。
【図４】本発明の実施例であるCDプレーヤの第１トラックのスクラッチ再生の動作を説明するフローチャート。
【図５】従来の光ディスク再生装置の第１トラックのスクラッチ再生の再生音を説明する図。
【符号の説明】
【００７０】
１…ターンテーブル、２…スピンドルモータ、３…サーボ制御部、４…光ピックアップ、５…再生アンプ、６…信号処理部、７…メモリ制御部、８…RAM、９…フレーム検出部、１０…DAC、１１…出力端子、１２…制御部、１３…表示部、１４…操作部、１５…カウンタ部、１６…先頭検出部、２１…パネル、２２…モータ、２３…回転軸、２４…プーリ、２５…プーリ部、２６…ベルト、２７…円盤部、２８…プーリ部、２９…シート部、３０…操作円盤部、３１…保持部、３２…回転軸、３３…第２光センサ部、３４…スケール保持部、３５…スケール、３６…第１光センサ部、３７…スケール保持部、３８…スケール、３９…ワッシャー、４０…ネジ、４１…軸受け、４２…Eリング、４３…凸部、４４…凹部、４５…軸受け、４６…軸受け
【図１】
2005259275.tif 000003
【図２】
2005259275.tif 000004
【図３】
2005259275.tif 000005
【図４】
2005259275.tif 000006
【図５】
2005259275.tif 000007